(57)【要約】【課題】リテーナ無しを前提としつつ、シムによる調整量を充分とることのできるスライドプレート装置を提供する。【解決手段】スライドプレート長手方向一端５０ａ側下面に当該長手方向端面５０ｂからその一部を突出して装着可能な係止爪５２と、外側ブーム下方板上面４８ａに固設され、前記スライドプレート長手方向一端面５０ｂとの係合面を有すると共に、前記係止爪５２との係止部６２を有し前記スライドプレート一端５０ａの外側ブーム下方板４８からの離間を規制する規制部材６０と、前記スライドプレート長手方向他端５０ｃを外側ブーム下方板４８に固定する固定手段７０と、を備え、前記スライドプレート５０と係止爪５２との重合面に挿入可能な係止爪部シム８０と、前記スライドプレート５０と外側ブーム下方板４８との重合面に挿入可能で係止爪部分を除いた平面形状を持つスライドプレート部シム８２と、により隙間調整を行う。【選択図】　　　　図４
2004051353.tif 000002
【特許請求の範囲】
【請求項１】
外側ブーム内に内側ブームを摺動自在に嵌挿する多段伸縮ブームにあって、外側ブームの先端下側内面に配置するスライドプレート装置であって、
外側ブーム下方板と内側ブーム下方板に囲まれた空間に配置され、ブーム軸に沿って長辺を有する平面視長方形状のスライドプレートと、
前記スライドプレート長手方向一端側下面に当該長手方向端面からその一部を突出して装着可能な係止爪と、
外側ブーム下方板上面に固設され、前記スライドプレート長手方向一端面との係合面を有すると共に、前記係止爪との係止部を有し前記スライドプレート一端の外側ブーム下方板からの離間を規制する規制部材と、
前記スライドプレート長手方向他端を外側ブーム下方板に固定する固定手段と、を備え、
前記スライドプレートと係止爪との重合面に挿入可能な係止爪部シムと、前記スライドプレートと外側ブーム下方板との重合面に挿入可能で係止爪部分を除いた平面形状を持つスライドプレート部シムと、をそれぞれ必要枚数挿入することにより、前記スライドプレートと内側ブーム下方板との隙間調整を行うことを特徴とする伸縮ブームのスライドプレート装置。
【発明の詳細な説明】
【０００１】
【発明の属する技術分野】
本発明は、クレーン車または高所作業車等の伸縮ブームに用いられるスライドプレート装置に関する。
【０００２】
【従来の技術】
図６は従来の多段伸縮式ブーム１０の一例を示す側面図であり、最外側の箱型構成のベースブーム１１内に、それぞれ箱型構成のセカンドブーム１２、サードブーム１３、トップブーム１４が順次摺動自在に嵌挿されている。図６は伸縮ブーム１０の最縮小状態を示している。
【０００３】
図７は図６のＡ矢視図であって、ベースブーム１１の先端下側内面に配置する第１の従来技術に係るスライドプレート装置１５を示している。スライドプレート装置１５は、ベースブーム下方板１６とセカンドブーム下方板１７に囲まれた空間に配置されており、ベースブーム下方板１６に取付けられている。
【０００４】
なお、本件明細書でのブームに関する上方、下方はその断面ににおける上下方向を意味している。
【０００５】
図８は図７のＢ矢視図であって、スライドプレート装置１５の平面視形状を示している。また、図９は図８のＣ−Ｃ断面詳細図である。スライドプレート装置１５はリテーナ１８とスライドプレート１９が組み合わされて構成されており、その全体がブーム軸に沿って平面視長方形状をしている。リテーナ１８は底板２０と、底板２０に固着されスライドプレート１９を取り囲むように配置された枠部材２１、２２、２３、２４により構成されている。
【０００６】
スライドプレート１９の中央部にはボルト用穴があけられており、ボルト２５によって、スライドプレート１９をリテーナ１８から外れないように固定するようになっている。リテーナ１８にはその周囲に取付用のタップ穴２７、２７、・・・があけられており、ベースブーム下方板１６の外側からボルト２６、２６、・・・によって取付けるようになっている。そして、前記スライドプレート１９とセカンドブーム下方板１７との隙間調整は、リテーナ１８の底板２０とスライドプレート１９との間にスライドプレートとほぼ同形状の薄いシムを必要枚数挿入することにより行う。なお、セカンドブーム１２、サードブーム１３のスライドプレート装置についても、その寸法は異なるものの構造は同じである。
【０００７】
上述した第１の従来技術に係るスライドプレート装置１５は、図９に示した枠部材２１、２２の高さ近くまでシムを挿入可能なため、比較的シム調整寸法が大きく取れるという利点を有するものの、スライドプレート装置１５の厚さがスライドプレート１９とリテーナ底板２０の厚さの和となるため、全体として厚みの大きなものになってしまうという問題を有していた。スライドプレート装置の厚みは、外側ブームの断面寸法に対する内側ブームの断面寸法を決定する要因となるため、できるだけ薄いものが望まれる。そこで、次に第２の従来技術に係るスライドプレート装置としてリテーナを使用しないスライドプレート装置が開発された。
【０００８】
図１０はベースブーム１１の先端下側内面に配置する第２の従来技術に係るスライドプレート装置３０を示している。スライドプレート装置３０は、ベースブーム下方板１６とセカンドブーム下方板１７に囲まれた空間に配置されており、ベースブーム下方板１６に取付けられている。
【０００９】
図１１は図１０のＤ矢視図であって、スライドプレート装置３０の平面視形状を示している。また、図１２は図１１のＥ−Ｅ断面詳細図である。スライドプレート装置３０は、スライドプレート３１、規制部材３２、固定手段３３とから構成されている。図１１に示すようにスライドプレート３０は平面視、ブーム軸方向が長辺となる長方形状をしている。また、図１２に示したように規制部材３２は、その断面形状が突起部３６を有して外側ブーム下方板１６に固着され、突起部３６とブーム下方板１６により形成された凹部にスライドプレート３１のブーム軸方向一端の突起部３４が嵌まりこむようになっている。
【００１０】
３３はスライドプレート３１のブーム軸方向他端の固定手段であって、外側ブーム下方板１６に脱着自在となっている。固定手段３３にはタップ穴をきっており、外側ブーム下方板１６にあけたボルト穴を通してボルト３８を外側ブーム下方板１６の外側から固定手段３３のタップ穴にネジ込み締付けるようになっている。また、前記規制部材３２と同じように固定手段３３には突起部３７が設けられ、当該突起部３７と外側ブーム下方板１６により形成された凹部にスライドプレートのブーム軸方向他端の突起部３５が嵌まりこむようになっている。
【００１１】
３９はスライドプレート３１及び固定手段３３と、外側ブーム下方板１６との重合面に挿入可能なシムである。シム３９には前記ボルト３８用の穴が設けられている。上述した第２の従来技術に係るスライドプレート装置３０は、当該シム３９を必要枚数挿入することにより、前記スライドプレート３１と内側ブーム下方板１７との隙間調整を行うようになっている。
【００１２】
【発明が解決しようとする課題】
ところが、図１２に示す規制部材３２の突起部３６とスライドプレート３１のブーム軸方向一端の突起３４とのスライドプレート３１の厚み方向の隙間は、取付時のガタとの関係からあまり大きな寸法をとることができないものであった。そのため、前記シム３９の挿入可能枚数を多くすることができず、前記スライドプレート３１と内側ブーム下方板１７との隙間調整範囲が小さいことにつながっていた。現実には、リテーナを用いない第２の従来技術に係るスライドプレート装置３０にあっては、シム調整量が少ないため、内側ブームと外側ブームの製造誤差が吸収しきれず、厚さ違いのスライドプレート３１を何種類も作って対応していた。
【００１３】
そこで、本発明は、その全体の厚みを小さくできるという利点を有するリテーナ無しのスライドプレート装置を前提としつつ、シムによる調整量を充分とることのできるスライドプレート装置を提供しようとするものである。
【００１４】
【課題を解決するための手段】
本願の請求項１に記載された伸縮ブームのスライドプレート装置は、外側ブーム内に内側ブームを摺動自在に嵌挿する多段伸縮ブームにあって、外側ブームの先端下側内面に配置するスライドプレート装置であって、外側ブーム下方板と内側ブーム下方板に囲まれた空間に配置され、ブーム軸に沿って長辺を有する平面視長方形状のスライドプレートと、前記スライドプレート長手方向一端側下面に当該長手方向端面からその一部を突出して装着可能な係止爪と、外側ブーム下方板上面に固設され、前記スライドプレート長手方向一端面との係合面を有すると共に、前記係止爪との係止部を有し前記スライドプレート一端の外側ブーム下方板からの離間を規制する規制部材と、前記スライドプレート長手方向他端を外側ブーム下方板に固定する固定手段と、を備え、前記スライドプレートと係止爪との重合面に挿入可能な係止爪部シムと、前記スライドプレートと外側ブーム下方板との重合面に挿入可能で係止爪部分を除いた平面形状を持つスライドプレート部シムと、をそれぞれ必要枚数挿入することにより、前記スライドプレートと内側ブーム下方板との隙間調整を行うことを特徴とする。
【００１５】
この構成によると、リテーナを用いないためスライドプレート装置全体の厚さを薄くできる。そして、スライドプレート長手方向一端側下面に当該長手方向端面からその一部を突出して装着可能な係止爪と、外側ブーム下方板に固設され、前記スライドプレート長手方向一端面との係合面を有すると共に、前記係止爪との係止部を有し前記スライドプレート一端の外側ブーム下方板からの離間を規制する規制部材を設けるようにしたので、前記スライドプレートと係止爪との重合面に係止爪部シムを挿入した際に係止爪部シムの枚数に関わりなく、前記係止爪を前記規制部材の係止部に係止することができる。さらに、前記スライドプレートと外側ブーム下方板との重合面には、係止爪部分を除いた平面形状を持つスライドプレート部シムを挿入するようにし、前記スライドプレート長手方向他端を外側ブーム下方板に固定手段で固定するようにしたので、スライドプレート部シムの枚数に制約されることなく、前記スライドプレートと内側ブーム下方板との隙間調整を行うことができるのである。
【００１６】
【発明の実施の形態】
図１に、本発明の実施の形態に係るスライドプレート装置を装着した伸縮ブーム４０の側面図を示す。
【００１７】
最外側の箱型構成のベースブーム４１内に、それぞれ箱型構成のセカンドブーム４２、サードブーム４３、フォースブーム４４、フィフスブーム４５、トップブーム４６が順次摺動自在に嵌挿されている。図１は伸縮ブーム４０の最縮小状態を示している。
【００１８】
図２は図１のＦ矢視図であって、ベースブーム４１の先端下側内面に配置する本発明の実施の形態に係るスライドプレート装置４７を示している。スライドプレート装置４７は、ベースブーム下方板４８とセカンドブーム下方板４９に囲まれた空間に配置されており、ベースブーム下方板４８に取付けられている。
【００１９】
図３は図２のＧ矢視図であって、スライドプレート装置４７の平面視形状を示している。図３に示されたようにスライドプレート装置４７は、その全体がブーム軸に沿って平面視長方形状をしている。なお、スライドプレート装置の全体形状は平面視長方形状に限られることはなく、外側ブーム下方板と内側ブーム下方板に囲まれた空間形状となっていれば、スライドプレート装置としての機能を発揮することが可能である。
【００２０】
また、図４は図３のＨ−Ｈ断面詳細図である。本実施の形態において、５０はブーム軸に沿ってその長辺を有する平面視長方形状をしているスライドプレートである。なお、スライドプレートの形状は、上述したようなスライドプレート装置の全体形状に合わせて決定されるものであり、一般的には外側ブーム下方板と内側ブーム下方板に囲まれた空間形状とほぼ同一形状とされる場合が多い。したがって、平面視ブーム軸にそって短辺となるような長方形状もありうるものである。
【００２１】
スライドプレート５０の材質は鋼板を摺動支持するに当たって低摩擦係数の性質を有するナイロンなどの合成樹脂製品が用いられる。
【００２２】
５２は前記スライドプレート長手方向一端５０ａの下面に当該端面５０ｂからその一部を突出して装着された係止爪である。スライドプレート長手方向一端５０ａの上面には取付ボルト５５用の２個の座ぐり穴５４が空けられている。一方、スライドプレート長手方向一端５０ａの下面には、前記係止爪５２の形状に合わせた平面形状を有し、その深さが略係止爪５２の厚さとなっている取付溝５６が形成されている。係止爪５２には取付ボルト５５用のタップ穴５７が２個所あけられている。
【００２３】
６０はベースブーム下方板上面４８ａに固設され、前記スライドプレート長手方向一端面５０ｂとの係合面６１を有すると共に、前記係止爪５２の突出部５３との係止部６２を有する規制部材である。係止部６２は規制部材６０の係合面６１に係止爪５２を装着したスライドプレート５０の一端面５０ｂを係合させた際に、係止爪５２の突出部５３がはまり込む凹部として形成されている。
【００２４】
７０はスライドプレート他端５０ｃをベースブーム下方板４８に固定する固定手段である。固定手段７０は取付ボルト用のタップ穴７２を２つ備えている。また、図４に示されたようにその断面形状は、スライドプレート他端５０ｃに向けた突起部７１を有しており、スライドプレート他端５０ｃに設けられた突起部５８と組合わされて、スライドプレート５０の他端５０ｃを固定するようになっている。ベースブーム下方板の先端部４８ｂには、固定手段７０の取付ボルト用穴７３があけられており、ベースブーム下方板下面４８ｃ側から取付ボルト７４を用いて、固定手段７０を取付けられるようになっている。
【００２５】
図５は実施の形態のスライドプレート装置４７に用いられる、３種類のシムの平面形状を示したものである。シムに共通の性質として、その厚さは１ｍｍ程度であり、その材質は圧延鋼板等が用いられる点が挙げられる。
【００２６】
８０は、スライドプレート５０と係止爪５２との重合面に挿入可能な係止爪部シムである。係止爪部シム８０には、スライドプレート５０に係止爪５２を取付ける際に用いるボルト５５のための穴８１が２個あけられている。
【００２７】
８２はスライドプレート５０と外側ブーム下方板４８との重合面に挿入可能で係止爪部分８３を除いた平面形状を持つスライドプレート部シムである。スライドプレート部シム８２には、前記固定手段７０の取付けボルト７４用の穴８４が２個あけられている。８５は前記スライドプレート部シム８２とほぼ同形状であって、係止爪部分８３を除かない平面形状を有する全体シムである。全体シム８５にも前記固定手段７０の取付けボルト７４用の穴８６が２個あけられている。
【００２８】
図３に示された９０と９１は、スライドプレート５０の長辺に沿うようベースブーム下方板４８に固着された取付枠である。取付枠９０、９１はその断面の一辺の寸法がスライドプレート５０の厚さ寸法よりも小さい正方形状をしており、ブーム軸方向に長尺な棒材が使用されている。
【００２９】
以上説明したベースブーム４１の先端下側内面に配置するスライドプレート装置４７は、同様にセカンドブーム４２、サードブーム４３、フォースブーム４４、フィフスブーム４５の先端下側内面でも用いられている。その際、外側ブーム下方板と内側ブーム下方板に囲まれた空間の取付部寸法に合わせ、スライドプレート装置の各部寸法が決定されるようになる。
【００３０】
本願発明のスライドプレート装置の装着方法と隙間調整方法を図１に示した伸縮ブーム４０のベースブーム４１の先端下側内面に配置する上述したスライドプレート装置４７を例に説明する。
【００３１】
伸縮ブーム４０の組立て作業工程において、伸縮ブーム４０は図１に示した全縮小状態からベースブーム４１に対してセカンドブーム４２が数１０ｃｍ伸長した状態で架台に載置される。その状態でセカンドブーム４２先端部が天井クレーン等によりベースブーム４１先端上側内面に配置する図示しないスライドプレート装置とセカンドブーム４２上方板との隙間が無くなる程度に吊り上げられる。
【００３２】
次に、スライドプレート５０と係止爪５２が仮組立される。具体的には、スライドプレート５０の取付溝５６に係止爪５２をはめ込み、前記座ぐり穴５４側から取付ボルト５５を係止爪５２のタップ穴５７にねじこみ締付ける。
【００３３】
上記スライドプレート５０は、係止爪５２が取付けられたスライドプレート一端５０ａを先にして、ベースブーム４１先端下側内面に挿入される。その際、スライドプレート長手方向一端の端面５０ｂが前記ベースブーム下方板上面４８ａに固着された規制部材６０の係合面６１と係合することにより、スライドプレート５０の挿入位置が決定される。また、この状態で係止爪５２の突出部５３が規制部材６０の係止部６２の凹部にはまりこみ、スライドプレート一端５０ａのベースブーム下方板４８からの離間が規制される。
【００３４】
このとき、スライドプレート５０とセカンドブーム４２下方板との隙間をシックネスゲージ等を用いて測定する。測定した隙間寸法に基きシムによる調整寸法が決定される。
【００３５】
隙間調整はまず、全体シム８５がスライドプレート５０とベースブーム下方板４８の間に挿入される。図４に示すように、係止爪５２の突出部５３と規制部材６０の係止部６２とはスライドプレート厚さ方向にすこしの隙間を持たせているため、全体シム８５の挿入による隙間調整が所定の範囲で可能である。
【００３６】
さらにシムの追加が必要な場合は、スライドプレート５０を一度引き抜き、スライドプレート５０と係止爪５２との重合面に必要枚数の係止爪部シム８０を挿入したのち、係止爪５２をスライドプレート５０に取付ける。そして、スライドプレート５０下面に対する係止爪５２の段差寸法に応じた厚さとなる必要枚数のスライドプレート部シム８２を、スライドプレート５０とベースブーム下方板４８との重合面に挿入する。
【００３７】
このとき、係止爪５２の突出部５３と規制部材６０の係合部６２とのスライドプレート厚さ方向の関係は変化しないため、係止爪部シム８０とスライドプレート部シム８２の挿入枚数が制限されることがない。すなわち、広範囲の寸法にわたって、スライドプレート５０とセカンドブーム４２下方板との隙間調整が可能である。
【００３８】
次に図４に示すように、取付けボルト７４がベースブーム下方板４８の取付け穴７３、全体シム８５の取付け穴８６及びスライドプレート部シム８２の取付け穴８４を貫通して固定手段７０のタップ穴７２にねじ込まれ、締付けられる。すると、固定手段７０の突起部７１とスライドプレート長手方向他端５０ｃの突起部５８の重合により、スライドプレート５０が固定される。
【００３９】
セカンドブーム４２先端部の天井クレーン等により吊り上げを解除すると、前記スライドプレート装置４７がセカンドブーム４２下方板を摺動自在に支持するようになる。
【００４０】
セカンドブーム４２、サードブーム４３、フォースブーム４４、フィフスブーム４５の先端下側内面の配置するスライドプレート装置の取付け方法および調整方法は上述したベースブーム４１先端下側内面に配置するスライドプレート装置４７の場合と全く同様である。
【００４１】
なお、本願発明のスライドプレート装置は、伸縮ブームに限らずスライドプレートが用いられる機械装置であればその適用が可能である。すなわち、伸縮機構を有する補助ジブ装置、アウトリガのビーム伸縮部分その他の順次嵌挿されて伸縮する装置に対し、本願発明のスライドプレート装置を使用することが可能である。
【００４２】
【発明の効果】
本願発明に係る伸縮ブームのスライドプレート装置によると、リテーナを用いないためスライドプレート装置全体の厚さを薄くできる。そして、スライドプレート長手方向一端側下面に当該長手方向端面からその一部を突出して装着可能な係止爪と、外側ブーム下方板に固設され、前記スライドプレート長手方向一端面との係合面を有すると共に、前記係止爪との係止部を有し前記スライドプレート一端の外側ブーム下方板からの離間を規制する規制部材を設けるようにしたので、前記スライドプレートと係止爪との重合面に係止爪部シムを挿入した際に係止爪部シムの枚数に関わりなく、前記係止爪を前記規制部材の係止部に係止することができる。さらに、前記スライドプレートと外側ブーム下方板との重合面には、係止爪部分を除いた平面形状を持つスライドプレート部シムを挿入するようにし、前記スライドプレート長手方向他端を外側ブーム下方板に固定手段で固定するようにしたので、スライドプレート部シムの枚数に制約されることなく、スライドプレートと内側ブーム下方板との隙間調整を行うことができるのである。
【図面の簡単な説明】
【図１】本発明の実施の形態に係るスライドプレート装置を装着した伸縮ブームの側面図である。
【図２】図１のＦ矢視図である。
【図３】図２のＧ矢視図である。
【図４】図３のＨ−Ｈ断面詳細図である。
【図５】実施の形態のスライドプレート装置に用いられる、３種類のシムの平面形状を示したものである。
【図６】従来の多段伸縮ブームの一例を示す側面図である。
【図７】図６のＡ矢視図であって、第１の従来技術に係るスライドプレート装置を示す図である。
【図８】図７のＢ矢視図である。
【図９】図８のＣ−Ｃ断面詳細図である。
【図１０】第２の従来技術に係るスライドプレート装置を示す図である。
【図１１】図１０のＤ矢視図である。
【図１２】図１１のＥ−Ｅ断面詳細図である。
【符号の説明】
４０は伸縮ブーム、４１はベースブーム、４２はセカンドブーム、４３はサードブーム、４４はフォースブーム、４５はフィフスブーム、４６はトップブーム、４７はスライドプレート装置、４８はベースブーム下方板、４９はセカンドブーム下方板、５０はスライドプレート、５０ａは長手方向一端、５０ｂは長手方向一端の端面、５０ｃは長手方向他端、５２は係止爪、５３は突出部、６０は規制部材、６１は係合面、６２は係止部、７０は固定手段、８０は係止爪部シム、８２はスライドプレート部シム、８５は全体シム
【図１】
2004051353.tif 000003
【図２】
2004051353.tif 000004
【図３】
2004051353.tif 000005
【図４】
2004051353.tif 000006
【図５】
2004051353.tif 000007
【図６】
2004051353.tif 000008
【図７】
2004051353.tif 000009
【図８】
2004051353.tif 000010
【図９】
2004051353.tif 000011
【図１０】
2004051353.tif 000012
【図１１】
2004051353.tif 000013
【図１２】
2004051353.tif 000014